(57)【要約】【課題】アプリケータによる塗工液の塗布ムラをなくし、製品の歩留まりを向上する。【解決手段】長尺状の可撓性フィルム２に連続して供給された塗工液７を均一の厚さに均すアプリケータ９において、可撓性フィルム２の幅方向に亘って、可撓性フィルム２と塗工液７の膜厚に相当する所定の間隙２６を隔てて形成されたバーコータ２０と、バーコータ２０の両側面に設けられ塗工液７の塗布領域を規制するストッパー２２とを有し、ストッパー２２には、バーコータ２０に供給された余剰の塗工液７を上記塗布領域外へ逃がすスリット部２８が形成されている。【選択図】図３
2006136833.tif 000002
【特許請求の範囲】
【請求項１】
長尺状の可撓性フィルム上に供給された塗工液を均一の厚さに均すアプリケータにおいて、
上記可撓性フィルムの幅方向に亘って、該可撓性フィルムと塗工液の膜厚に相当する所定の間隙を隔てて形成されたバーコータと、
上記バーコータの両側面に設けられ上記塗工液の塗布領域を規制するストッパーとを有し、
上記ストッパーには、上記バーコータに供給された余剰の塗工液を上記塗布領域外へ逃がすスリット部が形成されていることを特徴とするアプリケータ。
【請求項２】
上記ストッパーは、合成樹脂製であることを特徴とする請求項１記載のアプリケータ。
【請求項３】
可撓性フィルムが巻回された巻回ローラと、該可撓性フィルムを巻取る巻取りローラとを有し、上記巻回ローラと巻取りローラとの間に亘って上記可撓性フィルムを搬送する搬送機構と、
上記可撓性フィルムの一面側に塗工液を供給する機構と、
上記供給機構よりも上記可撓性フィルムの搬送方向下流側に設けられ、上記可撓性フィルムの一面側に供給された塗工液を均一の厚さに均すアプリケータとを備え、
上記アプリケータは、上記可撓性フィルムの幅方向に亘って、該可撓性フィルムと塗工液の膜厚に相当する所定の間隙を隔てて形成されたバーコータと、上記バーコータの両側面に設けられ上記塗工液の塗布領域を規制するストッパーとを有し、該ストッパーには上記バーコータに供給された余剰の塗工液を上記塗布領域外へ逃がすスリット部が形成されていることを特徴とする塗工装置。
【請求項４】
上記ストッパーは、合成樹脂製であることを特徴とする請求項３記載の塗工装置。
【請求項５】
上記アプリケータによる塗工領域には上記可撓性フィルムを支持する支持テーブルが設けられ、該支持テーブルは上記アプリケータを境に搬送方向上流側が上記可撓性フィルムより幅広に、下流側が幅狭に形成されていることを特徴とする請求項３記載の塗工装置。
【請求項６】
上記可撓性フィルムがベースフィルムであり、
塗工液が塗布された上記ベースフィルムの塗工面を乾燥させる乾燥部と、
剥離フィルムを供給する供給ロールと、
上記供給ロールより供給された剥離フィルムと上記塗工液が塗布されたベースフィルムの塗工面とを貼着する一対の貼着ローラーを有する貼着機構とを備え、
上記貼着ローラーは、一方をゴム製、他方を金属製とされていることを特徴とする請求項３乃至５記載の塗工装置。
【請求項７】
上記可撓性フィルムが剥離フィルムであり、
塗工液が塗布された上記剥離フィルムの塗工面を乾燥させる乾燥部と、
ベースフィルムを供給する供給ロールと、
上記供給ロールより供給されたベースフィルムと上記塗工液が塗布された剥離フィルムの塗工面とを貼着する一対の貼着ローラーを有する貼着機構とを備え、
上記貼着ローラーは、一方をゴム製、他方を金属製とされていることを特徴とする請求項３乃至５記載の塗工装置。
【請求項８】
上記貼着ローラのうち、ゴム製ローラが鼓形形状とされていることを特徴とする請求項６又は７記載の塗工装置。
【発明の詳細な説明】
【技術分野】
【０００１】
本発明は、塗工液を長尺状のシートに連続塗工する塗工装置に関し、特に塗工液を均一の厚さにて塗布するアプリケータと、このアプリケータを備えた塗工装置に関する。
【背景技術】
【０００２】
従来より、可撓性を有する支持体に塗工液を塗布するアプリケータを備えた装置が用いられている。この種の塗工装置としては、支持体を搬送する搬送機構と、塗工液を搬送された支持体上に供給するフィーダと、フィーダより供給された塗工液を支持体の塗布領域に均すアプリケータと、アプリケータにより塗工液が均された支持体を乾燥させる乾燥手段と、剥離フィルムと貼着された支持体を巻取る巻取りローラーとを備えるものがある。
【０００３】
このうち、塗工液を支持体の塗布領域に均すアプリケータ１００は、図６に示すように、断面略コ字状に形成され、搬送機構により搬送される支持体１０１を支持する支持台１０２上に、支持体１０１の幅方向に亘って固定されている。このアプリケータ１００は、金属板を成形加工することにより形成され、塗工液１０３が供給された支持体１０１の塗工面と対向されるコータ部１０４と、コータ部１０４の両側面に設けられ塗工液１０３の塗布領域を規制する左右一対のストッパー部１０５とを有する。
【０００４】
コータ部１０４は、支持台１０２上を搬送される支持体１０１の塗工面より所定の高さｈの間隙１０６が設けられ、この支持体１０１上に供給された塗工液１０３を均一の厚さｈに塗布する。またストッパー部１０５は、コータ部１０４の両側面より支持体１０１側に立設され、コータ部１０４の間隙１０６内に塗工液１０３を留めることにより、塗工液の支持体１０１上における塗工領域を規制すると共に、コータ部１０４における塗工を均一の厚さに行わせるものである。
【０００５】
このアプリケータ１００によって塗工液１０３が所定の塗工領域に均一に塗布された支持体１０１は、さらに搬送機構によって搬送され、乾燥手段によって塗工面が乾燥された後、塗工面に剥離フィルムが貼着され巻取りローラに巻取られていく。
【０００６】
しかし、アプリケータ１００によって塗工液が塗布された支持体１０１は、図７に示すように、ストッパー部１０５との接触部分に塗工液が厚く塗布され、長手方向に沿って塗工液の盛り上がりによるスジ１０８が発生する。このようにして塗工液１０３の塗布ムラが生じることにより支持体１０１の塗工面に凹凸が発生すると、塗工面に剥離フィルムが貼着されたときに皺が発生してしまい、製品の歩留まりを悪化させてしまう。
【０００７】
【特許文献１】特開２００３−３１１２０５号公報
【発明の開示】
【発明が解決しようとする課題】
【０００８】
そこで、本発明は、アプリケータによる塗工液の塗布ムラをなくし、製品の歩留まりを向上することができるアプリケータ及びこのアプリケータを用いた塗工装置を提供することを目的とする。
【課題を解決するための手段】
【０００９】
上述した課題を解決するために、本発明にかかるアプリケータは、長尺状の可撓性フィルム上に供給された塗工液を均一の厚さに均すアプリケータにおいて、上記可撓性フィルムの幅方向に亘って、該可撓性フィルムと塗工液の膜厚に相当する所定の間隙を隔てて形成されたバーコータと、上記バーコータの両側面に設けられ上記塗工液の塗布領域を規制するストッパーとを有し、上記ストッパーには、上記バーコータに供給された余剰の塗工液を上記塗布領域外へ逃がすスリット部が形成されていることを特徴とする。
【００１０】
また、本発明にかかる塗工装置は、可撓性フィルムが巻回された巻回ローラと、該可撓性フィルムを巻取る巻取りローラとを有し、上記巻回ローラと巻取りローラとの間に亘って上記可撓性フィルムを搬送する搬送機構と、上記可撓性フィルムの一面側に塗工液を供給する機構と、上記供給機構よりも上記可撓性フィルムの搬送方向下流側に設けられ、上記可撓性フィルムの一面側に供給された塗工液を均一の厚さに均すアプリケータとを備え、上記アプリケータは、上記可撓性フィルムの幅方向に亘って、該可撓性フィルムと塗工液の膜厚に相当する所定の間隙を隔てて形成されたバーコータと、上記バーコータの両側面に設けられ上記塗工液の塗布領域を規制するストッパーとを有し、該ストッパーには上記バーコータに供給された余剰の塗工液を上記塗布領域外へ逃がすスリット部が形成されていることを特徴とする。
【発明の効果】
【００１１】
このようなアプリケータ及び塗工装置によれば、ストッパーに設けられたスリットより、バーコータと可撓性フィルムとの間に供給された余剰の塗工液が流出されるため、可撓性フィルムの塗工面に塗布する塗工液を確保して均一の膜厚により塗布することができるとともに、余剰の塗工液がストッパーと可撓性フィルムとの接触部において盛り上がり、スジが発生することを防止することができる。したがって、後に塗工面に剥離フィルムを貼着した際にも、塗工液の塗布ムラが防止されていることから、支持体の塗工面に皺が発生することがなく、製品の歩留まりを向上させることができる。
【００１２】
また、本発明にかかるアプリケータ及び塗工装置を、例えばテープの医薬製剤の製造に用いることにより、テープ表面の凹凸を防止することができるため、皮膚粘着性や薬物吸収性が均一となり、医薬製剤の品質向上を図ることができる。
【発明を実施するための最良の形態】
【００１３】
本発明が適用された塗工装置１は、例えばベースフィルムの一面側に粘着層を形成し剥離フィルムで覆った粘着テープ、特に粘着層に薬物を含有し薬剤を全身又は局所的に投与するための貼り薬となる経皮吸収性医薬製剤の製造に使用することができる。本発明が適用された塗工装置１において、可撓性フィルムとしてはベースフィルム及び剥離フィルムを含む。ベースフィルムの一面側に粘着層を形成し、剥離フィルムで覆った粘着テープの製造方法としては、ベースフィルムに直接粘着層を形成して後に剥離フィルムで覆う方法と、剥離フィルム側に一旦粘着層を形成し、その後ベースフィルムを貼着することによりベースフィルムに粘着層を形成する方法（転写法）があるが、本発明が適用された塗工装置１はいずれの方法においても使用することができる。粘着層をベースフィルム上に直接形成する方法と転写法のいずれを採用するかは、使用するベースフィルム及び剥離フィルムの厚みや伸展性などの諸物性を考慮し、決定すればよい。以下、本発明が適用されたアプリケータ及びこのアプリケータを用いた塗工装置について図面を参照しながら詳細に説明するが、本発明はこれに限定されない。
【００１４】
この塗工装置１は、図１に示すように、塗工液が塗布される支持体となるベースフィルム２が巻回された第１の巻回ローラー３と、塗工液が塗布されると共に剥離フィルムが貼着されたベースフィルム２を巻取る巻取りローラ４とを備え、これら第１の巻回ローラー３及び巻取りローラ４との間に亘ってベースフィルム２を搬送する搬送機構５と、アプリケータ９中に設けた貯留槽に塗工液７を連続供給するフィーダー８と、供給された塗工液７をベースフィルム２に均一に均すアプリケータ９と、塗工液が塗布されたベースフィルム２を乾燥させる乾燥機構１０と、塗工液が塗布されたベースフィルム２の塗工面に貼着される剥離フィルム１１が巻回された第２の巻回ローラー１２と、第２の巻回ローラー１２より供給された剥離フィルム１１とベースフィルム２の塗布面とを貼着させる貼着機構１３とを備え、これらが台座１５に取り付けられている。
【００１５】
ベースフィルム２が巻回された第１の巻回ローラー３と、塗工液７が塗布されると共に剥離フィルム１１が貼着されたベースフィルム２を巻取る巻取りローラ４との間に亘ってベースフィルムを搬送する搬送機構５は、ベースフィルム２と剥離フィルム１１とを貼着する上下一対の貼着ローラー３４，３５を備え、これら貼着ローラ３４，３５がベースフィルム２及び剥離フィルム１１を挟持しながら回転駆動されることによって、ベースフィルム２を第１の巻回ローラー３から巻取りローラー４にかけて図１中矢印Ｃ方向へ搬送させていく。
【００１６】
また、第１の巻回ローラー３及び巻取りローラー４には、これらを回転駆動させる駆動部１６，１７をそれぞれ備えていてもよい。巻取りローラー４を回転駆動させる駆動部１７は、搬送されたベースフィルム２が弛まない程度の出力で回転駆動させる。なお、搬送機構５は、上下貼着ローラー３４，３５でベースフィルム２を挟持しながら搬送する他、ベースフィルム２を巻取る巻取りローラー４を回転駆動させる駆動部１７の駆動力によって搬送するように構成してもよい。
【００１７】
この搬送機構５に搬送されるベースフィルム２は、塗工液７を担持可能な程度の強度、厚みを有するとともに可撓性を有し、長尺状に形成されて第１の巻回ローラー３に巻回されている。そしてベースフィルム２は、後述するフィーダー８及びアプリケータ９によって塗工液７が塗布されると共に貼着機構１３によって剥離フィルム１１が貼着されることにより再度、巻取りローラー４に巻取られ、後に実使用に適した長さにカットされる。
【００１８】
塗工液７は、搬送機構５に搬送されるベースフィルム２の一面側に直接供給してもよく、アプリケータ９中に貯留槽を設けてそこに供給することもできる。さらにこれらに塗工液を連続供給するフィーダー８を設けてもよい。フィーダー８は、粘着性を有するバインダーに薬物が含有されたペースト状の塗工液７を供給するものであり、ベースフィルム２の幅方向に亘って設けられた供給ノズルから、搬送されているベースフィルム２の塗工面又はアプリケータ９の貯留槽に塗工液７を連続塗布するものである。フィーダー８は、塗工液７の供給量を制御するバルブ１９を備え、適宜塗工液７の供給量を制御することができる。
【００１９】
ベースフィルム２上に供給された塗工液７を均一の厚さに均すアプリケータ９は、図２及び図３に示すように、塗工液７をベースフィルム２上に均すバーコータ２０と、バーコータ２０を支持する支持フレーム２１と、バーコータ２０による塗工領域を規制するストッパ２２と、バーコータ２０とベースフィルム２との間隙を調整し塗膜の厚みを調整する膜厚調整部材２３とを備える。なお、図２はアプリケータ９の正面を示す図であり、図３はストッパ２２が設けられたアプリケータ９の端部の底面を示す図である。
【００２０】
アプリケータ９は、台座１５上に設けられたベース板２４上にベースフィルム２の幅方向に亘って固定され、同じくベース板２４上に固定された搬送機構５に搬送されているベースフィルム２を支持する支持テーブル２５と対向するように設置されている。塗工液７が供給されたベースフィルム２は、バーコータ２０の下方を図２中、正面方向又は背面方向に搬送される。これにより、バーコータ２０とベースフィルム２との間隙２６内に供給された塗工液７が均一の厚さに均される。
【００２１】
バーコータ２０は、略円柱状又は角柱状の金属材料からなり、長手方向の両端部を支持フレーム２１に上下方向に移動自在に支持されている。このバーコータ２０は、支持フレーム２１に支持されることにより、支持テーブル２５上に搬送、支持されているベースフィルム２との間に微小な間隙２６が設けられ、この間隙２６内に塗工液７が充填される。そして、バーコータ２０は、ベースフィルム２が搬送されることにより間隙２６内に充填された塗工液７を間隙２６の高さと同一の厚さで均一に引き伸ばし、ベースフィルム２の塗工面に塗布していく。
【００２２】
またバーコータ２０の長手方向の両端部には、支持フレーム２１に設けられた支持アーム２７に挿通される挿通孔がそれぞれ設けられており、バーコータ２０は、この支持アーム２７にガイドされることにより上下方向に移動可能とされている。バーコータ２０は、膜厚調整部材２３によって間隙２６を計測しながら、支持テーブル２５上に支持されたベースフィルム２との間隙２６を調整することができる。これによりアプリケータ９は、塗工液の粘度やベースフィルム２の搬送速度等に応じて間隙２６内に充填される塗工液７の量を適正に制御することにより、膜厚を任意に設定することができる。
【００２３】
このバーコータ２０による塗工液の塗工領域を規制するストッパ２２は、図３に示すように、バーコータ２０の左右両端部に、バーコータ２０を前後から挟持するようにして設けられている。ストッパ２２はベースフィルム２の両側縁部に軽く摺接することにより塗工液７がストッパ２２よりも外側へ流出することを防止し、塗工液７を左右両ストッパ２２間内に十分に充填させベースフィルム２に塗布されるようにする。これにより、ベースフィルム２は、左右両ストッパ２２，２２間において塗工液７を塗膜形成に十分な量を確保すると共に均一の厚さによる塗膜が形成される。
【００２４】
また、ストッパ２２は、バーコータ２０を前後から挟持するように設けられているため、ベースフィルム２の搬送方向の略中間部においてバーコータ２０の周囲にスリット部２８が形成されている。スリット部２８は、間隙２６内に過剰に塗工液７が充填されると、余剰分を間隙２６外へ導き、ベースフィルム２の塗工液７の供給量を適正なものとする。したがって、ベースフィルム２はバーコータ２０の下方を搬送されることにより、間隙２６内に充填された適正量の塗工液７が均等に均され、均等な膜厚の塗膜を形成することができる。
【００２５】
このストッパ２２は、ポリテトラフルオロエチレン（テフロン：登録商標）等の合成樹脂を用いて形成されている。したがって、ベースフィルム２には、ストッパ２２との接触部分に塗工液７が余計に残ることがなく、長手方向に沿った塗工液７の盛り上がりによるスジが発生することがない。したがって、塗工液の塗布ムラが生じることがないため、後述する剥離フィルム１１が塗工面に貼着された場合にも皺が発生することを防止することができる。
【００２６】
なお、本発明が適用された塗工装置１においては、ストッパ２２に塗工液７の余剰分を排出するスリット部２８を設けることにより、ストッパ２２の外側であるベースフィルム２の両側縁部まで塗工液７が流出することとなるが、ベースフィルム２は左右両ストッパ２２，２２間の塗布領域のみが実使用に供される。
【００２７】
次いで、アプリケータ９に塗工液７を塗布されるベースフィルム２を支持する支持テーブル２５について説明する。支持テーブル２５は、塗工装置１の台座１５に立設されたベース板２４上にアプリケータ９と共に設置され、ベースフィルム２を支持するものである。
【００２８】
この支持テーブル２５は、図４に示すように、ベースフィルム２の搬送方向の上流側側縁部２５ａの幅方向の寸法Ｗ１よりも、搬送方向の下流側側縁部２５ｂの幅方向の寸法Ｗ２が短く形成されている。具体的に、支持テーブル２５は、ベースフィルム２の搬送方向の略中間部から搬送方向下流側に向かって、両側縁部が内側に向かって切り欠かれた切欠き部２９が形成され、これにより上流側側縁部２５ａがベースフィルム２の幅よりも大なる幅に形成され、下流側側縁部２５ｂがベースフィルム２の幅よりも小なる幅に形成されている。
【００２９】
この切欠き部２９は、図４に示すように、アプリケータ９が設置されている箇所に対応して設けられている。すなわち、支持テーブル２５は、アプリケータ９を境に、搬送方向上流側はベースフィルム２より幅広に形成され、搬送方向下流側はベースフィルム２よりも幅狭に形成されている。
【００３０】
このような支持テーブル２５に支持されることにより、フィーダー８及びアプリケータ９により塗工面に塗工液７が塗布されたベースフィルム２は、両側縁部に付着された余剰の塗工液７が塗工面と反対側の面に付着することが防止される。すなわち、本発明が適用された塗工装置１のアプリケータ９にはストッパ２２にスリット部２８を設けて、間隙２６内に充填された余剰の塗工液７をスリット部２８より間隙２６外へ逃すものであるため、ベースフィルム２には塗工領域外の両側縁部近傍まで塗工液７が供給されてしまう。
【００３１】
ここで、支持テーブル２５がベースフィルム２の搬送方向全体に渡ってベースフィルム２よりも幅広に形成されている場合には、ベースフィルム２の外側縁まで供給された塗工液７が支持テーブル２５の上面を伝ってベースフィルム２の塗工面の裏側まで付着してしまう。
【００３２】
一方、本発明が適用された塗工装置１においては、支持テーブル２５は、アプリケータ９を境に搬送方向の下流側がベースフィルム２よりも幅狭に形成されているため、元来粘着性を有する塗工液７は、ベースフィルム２の外側縁まで供給された場合でも支持テーブル２５を伝ってベースフィルム２の裏面側まで付着することなく、自身の張力によってベースフィルム２の外側縁に留まる。したがって、ベースフィルム２は、塗工面と反対側の面にまで塗工液７が付着してしまうこと防止することができる。
【００３３】
なお、外側縁に留まった塗工液７は、バーコータ２０によって均された塗工液７に比して厚さのバラツキを持っているため後述する剥離フィルム１１が貼着されると皺の発生等の不都合が生じるが、かかる外側縁はベースフィルム２の実使用時にはカットされているため問題はない。
【００３４】
塗工液が塗布されたベースフィルム２を乾燥させる乾燥機構１０は、搬送機構５に搬送されているベースフィルム２の下方に加熱装置３１が設けられるとともに、ベースフィルム２を挟んで加熱装置３１の上方に排気用のダクト３２が設けられている。加熱装置３１としては、セラミックヒータ等の加熱乾燥装置等が用いられる。なお、加熱装置３１には温度センサーを設けて温度管理を行うようにしてもよい。そして乾燥機構１０は、アプリケータ９によって塗工液７が塗布されたベースフィルム２が搬送されると、加熱装置３１によって加熱乾燥する。加熱された空気及び塗工液に含まれていた揮発成分は、上方に設置されたダクト３２より排気される。なおダクト３２は、ダクト内を負圧にすることにより吸引排気することができる。
【００３５】
第２の巻回ローラー１２には、ベースフィルム２の塗工面に貼着される剥離フィルム１１が巻回されている。剥離フィルム１１は、ベースフィルム２と同様に長尺状に形成され、第２の巻回ローラー１２に巻回されると共に、貼着機構１３の貼着ローラーに送り搬送されることにより連続して供給される。そして剥離フィルム１１は、ベースフィルム２の塗工面に剥離可能に貼着されることにより、ベースフィルム２の塗工面を保護する。
【００３６】
この剥離フィルム１１は、第２の巻回ローラー１２から連続して供給されると、ガイドバー３８にガイドされることにより、貼着機構１３の上下貼着ローラー３４，３５の直前においてベースフィルム２の塗工面に合わせられ、次いでベースフィルム２と貼着機構１３によって圧着される。
【００３７】
ベースフィルム２と剥離フィルム１１とを貼着する貼着機構１３は、ベースフィルム２及び剥離フィルム１１を挟むことにより加圧して両者を貼着する上下一対の貼着ローラー３４，３５と、上貼着ローラー３４に荷重をかける錘３６と、上下貼着ローラー３４，３５の送り速度を調整する調整機構３７とを備える。上下貼着ローラー３４，３５は、ベースフィルム２及び剥離フィルム１１を図１中矢印Ｃ方向に搬送する方向に回転駆動されている。また、上貼着ローラー３４の上には、ベースフィルム２及び剥離フィルム１１を圧着する荷重を加える錘３６が設けられている。上下貼着ローラー３４，３５は、この錘３６を調整することにより、適宜圧着の荷重を調整することができる。また、上下貼着ローラー３４，３５は、調整機構３７によって送り速度が調整され、搬送機構５に対応した速度で回転駆動される。これにより上下貼着ローラー３４，３５は剥離フィルム１１が貼着されたベースフィルム２を挟持しながら送り操作することができ、ベースフィルム２を第１の巻回ローラー３から巻取りローラー４へ搬送する図１中矢印Ｃ方向へ搬送する。なお、調整機構３７は、上下貼着ローラー３４，３５を駆動する駆動モータと、この駆動モータの駆動速度を調整する速度調整器と、駆動モータの駆動状態を表示する表示部とを有している。
【００３８】
また上貼着ローラー３４は、ゴム製のローラーであり、図５に示すように、全体をベースフィルム２の幅よりも長い長さを持つ略円筒形状に形成されると共に、長手方向の両端部から中間部にかけて漸次拡径されていく鼓形形状に形成されている。具体的に、上貼着ローラー３４は、長手方向の長さを４１０ｍｍとしたときに、両端部における半径Ｃ１と中央部における半径Ｃ２との差を０．３ｍｍ〜０．５ｍｍに形成する。
【００３９】
また、下貼着ローラー３５は、金属製のローラーであり、全体をベースフィルム２の幅よりも長い長さを持つ略円筒形状に形成される。
【００４０】
かかる貼着機構１３により、ベースフィルム２の塗工面に剥離フィルム１１が圧着されると、上下貼着ローラー３４，３５が一方をゴム、他方を金属で形成するとともに、上貼着ローラー３４が鼓形形状に形成されていることから、ベースフィルム２の両側縁部に塗工された塗工液７の厚さが不均一とされていても、剥離フィルム１１による皺はベースフィルム２の中央部から両側縁部に向かう方向に延ばされるため、ベースフィルム２の中央部には皺が残らず平坦に形成することができる。
【００４１】
なお、本発明は、ゴム製の上貼着ローラー３４を円筒形状に、金属製のした貼着ローラー３５を鼓形形状に形成してもよく、また上下貼着ローラー３４，３５とも鼓形形状に形成するようにしてもよい。
【００４２】
巻取りローラー４は、上述したように、駆動部１７を備え、剥離フィルム１１が貼着されたベースフィルム２が弛まない程度の出力にて回転駆動されることにより、剥離フィルム１１が貼着されたベースフィルム２を巻取っていく。
【００４３】
その後、巻取りローラー４に巻取られた剥離フィルム１１が貼着されたベースフィルム２は、両側縁部がカットされるとともに、経皮吸収性の張り薬となるテープ材として使用するのに最適な大きさにカットされて、実使用に供される。かかるテープ材は、薬物が含有された塗工液７の塗工面には、上記アプリケータ９に形成されたストッパ２２のスリット部２８により必要十分な量に調整された塗工液７が均一の膜厚で塗布され、また、剥離フィルム１１と貼着される際にも皺の発生が防止されている。
【００４４】
なお、本発明が適用された塗工装置は、上述したベースフィルム２上に塗工液７を塗布した後、剥離フィルム１１を貼着する構成の他、剥離フィルム１１に塗工液７を塗布した後、塗工面にベースフィルム１１を貼着する転写法を用いてもよい。
【００４５】
この場合、図１に示す第１の巻回ローラー３には剥離フィルム１１が巻回され、第２の巻回ローラー１２にベースフィルム２が巻回される。そして、剥離フィルム１１が、上下貼着ローラー３４，３５により図１中矢印Ｃ方向へ搬送されると、ベースフィルム２上に供給された塗工液７はアプリケータ９によって均一の厚さに均される。その後、剥離フィルム１１は、上下貼着ローラー３４，３５によって、第２の巻回ローラー１２から供給されたベースフィルム２が塗工面に貼着され、巻取りローラー４に巻取られる。
【００４６】
このような塗工装置によっても、ストッパー２２に設けられたスリット部２８より、アプリケータ９と剥離フィルム１１との間に供給された余剰の塗工液７が流出されるため、剥離フィルム１１の塗工面に塗布する塗工液７を確保して均一の膜厚により塗布することができるとともに、余剰の塗工液７がストッパー２２と剥離フィルム１１との接触部において盛り上がり、スジが発生することを防止することができる。したがって、後に塗工面にベースフィルム２を貼着した際にも、塗工液７の塗布ムラが防止されていることから、塗工面に皺が発生することがなく、製品の歩留まりを向上させることができる。
【図面の簡単な説明】
【００４７】
【図１】本発明が適用された塗工装置を示す側面図である。
【図２】本発明が適用されたアプリケータを示す正面図である。
【図３】本発明が適用されたアプリケータのストッパを示す斜視図である。
【図４】本発明が適用された塗工装置の支持テーブルを示す平面図である。
【図５】本発明が適用された塗工装置の貼着ローラーを示す平面図である。
【図６】従来のアプリケータを示す斜視図である。
【図７】従来のアプリケータにより塗工液を塗布された支持体を示す斜視図である。
【符号の説明】
【００４８】
１  塗工装置、２  ベースフィルム、３  第１の巻回ローラー、４  巻取りローラー、５  搬送機構、７  塗工液、８  フィーダー、９  アプリケータ、１０  乾燥機構、１１  剥離フィルム、１２  第２の巻回ローラー、１３  貼着機構、２０  バーコータ、２１  支持フレーム、２２  ストッパ、２３  膜厚調整部材、２５  支持テーブル、２６  間隙、２７  支持フレーム、２８  スリット部、２９  切欠き部、３１  加熱装置、３２  ダクト、３４  上貼着ローラー、３５  下貼着ローラー、３６  錘、３７  調整機構
【図１】
2006136833.tif 000003
【図２】
2006136833.tif 000004
【図３】
2006136833.tif 000005
【図４】
2006136833.tif 000006
【図５】
2006136833.tif 000007
【図６】
2006136833.tif 000008
【図７】
2006136833.tif 000009